(57)【特許請求の範囲】
【請求項１】
弁当食品が収納される容器本体と、この容器本体の開口部を密封状態で覆うことができる蓋と、この蓋の上部外周部に形成された積み重ね時に容器本体の外周部が入り込んで荷くずれを防止する突起状の荷くずれ防止リングとからなる弁当容器において、前記荷くずれ防止リングの少なくとも1個所の対向する部位を平坦面に形成し、該平坦面と前記容器本体とを端部に不正に外そうとすると、一部の端部が残るように長さ方向に少なくとも1箇所以上の切り欠き部が形成された接着テープを用いて固定したことを特徴とする弁当容器。
【発明の詳細な説明】
【技術分野】
【０００１】
本発明はスーパー、コンビニエンスストアー等で販売するお弁当、惣菜等を包装する弁当容器に関する。
【背景技術】
【０００２】
従来、弁当容器は弁当食品が収納される容器本体と、この容器本体の開口部を密封状態で覆うことができる蓋と、この蓋の上部外周部に形成された積み重ね時に容器本体の底面外周部が入り込んで荷くずれを防止する突起状の荷くずれ防止リングと、容器本体と蓋とを対向する部位で固定する少なくとも一対の接着テープとで構成されている。
【０００３】
この容器本体と蓋とを少なくとも一対の接着テープで固定する場合、蓋の荷くずれ防止リング上を通過するように接着テープを取付けている。
このため、荷くずれ防止リングの内側部に傾斜状態で接着テープが位置して、積み重ねた場合、接着テープの傾斜面に沿って移動しやすくなり、荷くずれがしやすくなるという欠点があった。
【特許文献１】特になし
【発明の開示】
【発明が解決しようとする課題】
【０００４】
本発明は以上のような従来の欠点に鑑み、積み重ねた場合に、容器本体と蓋とを固定する接着テープがじゃまになることなく、確実に荷くずれ防止リングと係合でき、確実に荷くずれを防止することができる弁当容器を提供することを目的としている。
【０００５】
また、本発明の他の目的は容器本体と蓋とを固定する接着テープが、いたずらされて外された場合に、確実にその状態を判別することができる接着テープを用いた弁当容器を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は弁当食品が収納される容器本体と、この容器本体の開口部を密封状態で覆うことができる蓋と、この蓋の上部外周部に形成された積み重ね時に容器本体の外周部が入り込んで荷くずれを防止する突起状の荷くずれ防止リングとからなる弁当容器において、前記荷くずれ防止リングの少なくとも1個所の対向する部位を平坦面に形成し、該平坦面と前記容器本体とを端部に不正に外そうとすると、一部の端部が残るように長さ方向に少なくとも1箇所以上の切り欠き部が形成された接着テープを用いて固定して弁当容器を構成している。
【発明の効果】
【０００８】
以上の説明から明らかなように、本発明にあっては次に列挙する効果が得られる。
【０００９】
（１）荷くずれ防止リングの少なくとも1個所の対向する部位を平坦面に形成して、該平坦面と前記容器本体とを接着テープで固定しているので、蓋と容器本体とを荷くずれ防止リングの平坦面部位で接着テープで固定することにより、従来のように接着テープが傾斜面になって荷くずれの原因になったりするのを防止でき、荷くずれ防止リングを本来の目的で機能させることができる。
【００１０】
（２）前記（１）によって、構造が簡単であるので、容易に実施することができる。
【００１１】
（３）前記（１）によって、1個所の対向する部位に平坦面を形成することにより、ベルトコンベアー等で移送させる弁当容器の方向を確実に設定することができる。
【００１２】
（４）前記（１）によって、接着テープが不正に外されると、接着テープ端部に形成された切り欠き部によって、接着テープの端部の一部が残るように切断される。
このため、接着テープの端部の一部が残っていることにより、不正に外されたことを確認することができる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１は本発明の弁当容器で、この弁当容器１は弁当食品２が収納される開口端部の一方の対向する部位の中央部が外方へ突出する弧状のフランジ部３、３を有する断面アングル状の蓋嵌合片４が形成された四角形状の容器本体５と、この容器本体５の蓋嵌合片４と嵌合固定される外周部に嵌合部６が形成された透明材製の上面が平坦な蓋７と、この蓋７の外周部に形成された、前記容器本体５の底面外周部が入り込む、前記弧状のフランジ３、３部の中央部に位置する部位に平坦面８、８が形成された突起状の荷くずれ防止リング９と、前記蓋７と前記容器本体５とを該蓋７の前記平坦面８、８で固定する接着テープ１０、１０とで構成されている。
【００１５】
前記接着テープ１０、１０は図７に示すように、中央部が帯状に着色するようにプリント１１され、端部には長さ方向に切り欠き部１２、１２が形成されたものが使用されている。
【００１６】
上記構成の弁当容器１は蓋７の平坦面８、８で接着テープ１０、１０によって容器本体５に固定されているので、積み重ねた場合、図８に示すように蓋７の荷くずれ防止リング９内に容器本体５の下部が確実に収納されて、荷くずれをすることがない。
また、不正に接着テープ１０、１０を外そうとすると、図９に示すように接着テープ１０、１０の端部の切り欠き部１２、１２によって接着テープ１０、１０の一部の端部１０ａ、１０ａが残るように切断されるため、不正に接着テープ１０、１０を外したことを目で確認することができる。
[発明を実施するための異なる形態]
【００１７】
次に、図１０ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図１０ないし図１２に示す本発明を実施するための第２の形態において、前記本発明を実施するための最良の第１の形態と主に異なる点は、容器本体５Ａの底面外周部に突条のリング１３を形成するとともに、蓋７の平坦面８、８形成部位と対応する部位の突条リング１３部位に平坦面１４、１４を形成した点で、このように形成された容器本体５Ａを用いて構成した弁当容器１Ａにしても、前記本発明を実施するための最良の第１の形態と同様な作用効果が得られるとともに、接着テープ１０、１０の両端部が蓋７と容器本体５Ａの平坦面８、１４と接着されて、確実に接着固定させることができる。
【００１９】
図１３ないし図１５に示す本発明を実施するための第３の形態において、前記本発明を実施するための第２の形態と主に異なる点は、各片の中央部に平坦面８、８、８、８および１４、１４、１４、１４を形成した蓋７Ａおよび容器本体５Ｂを用いた点で、このように形成された蓋７Ａと容器本体５Ｂを用いて構成した弁当容器１Ｂ にしても、前記本発明を実施するための第２の形態と同様な作用効果が得られる。
【００２０】
図１６ないし図１８に示す本発明を実施するための第４の形態において、前記本発明を実施するための最良の第１の形態と主に異なる点は、上部内壁面に蓋嵌合凹部１５が形成されたフランジ１６の四隅が外方へ突出するほぼ円形状の容器本体５Ｃと、この容器本体５Ｃの蓋嵌合凹部１５と嵌合する嵌合片１７、４個の平坦面８、８、８、８を有する荷くずれ防止リング９Ａが形成された蓋７Ｂとで構成した点で、このように形成された容器本体５Ｃと蓋７Ｂとを用いて構成した弁当容器１Ｃにしても、前記本発明を実施するための最良の第１の形態と同様な作用効果が得られる。
【００２１】
図１９ないし図２１に示す本発明を実施するための第５の形態において、前記本発明を実施するための第４の形態と主に異なる点は、フランジ１６Ａも円形状に形成された容器本体５Ｄと、３個の平坦面８、８、８が形成された荷くずれ防止リング９Ｂが形成された蓋７Ｃとを用いた点で、このように形成された容器本体５Ｄと蓋７Ｃとを用いて構成された弁当容器１Ｄにしても、前記本発明を実施するための第４の形態と同様な作用効果が得られる。
【産業上の利用可能性】
【００２２】
本発明はスーパー、コンビニエンスストアー等で販売されるお弁当等を包装する弁当容器を製造する産業で利用される。
【図面の簡単な説明】
【００２３】
【図１】本発明を実施するための最良の第１の形態の平面図。
【図２】本発明を実施するための最良の第１の形態の正面図。
【図３】本発明を実施するための最良の第１の形態の底面図。
【図４】図１の４−４線に沿う断面図。
【図５】本発明を実施するための最良の第１の形態の容器本体の斜視図。
【図６】本発明を実施するための最良の第１の形態の蓋の斜視図。
【図７】本発明を実施するための最良の第１の形態の接着テープの説明図。
【図８】本発明を実施するための最良の第１の形態の積み重ねた状態の断面図。
【図９】本発明を実施するための最良の第１の形態の接着テープを外した状態の説明図。
【図１０】本発明を実施するための第２の形態の平面図。
【図１１】本発明を実施するための第２の形態の底面図。
【図１２】図１０の１２−１２線に沿う断面図。
【図１３】本発明を実施するための第３の形態の平面図。
【図１４】本発明を実施するための第３の形態の底面図。
【図１５】図１３の１５−１５線に沿う断面図。
【図１６】本発明を実施するための第４の形態の平面図。
【図１７】本発明を実施するための第４の形態の底面図。
【図１８】図１６の１８−１８線に沿う断面図。
【図１９】本発明を実施するための第５の形態の平面図。
【図２０】本発明を実施するための第５の形態の底面図。
【図２１】図１９の２１−２１線に沿う断面図。
【符号の説明】
【００２４】
１、１Ａ、１Ｂ、１Ｃ、１Ｄ：弁当容器、
２：弁当食品、      ３：フランジ部、
４：蓋嵌合片、
５、５Ａ、５Ｂ、５Ｃ、５Ｄ：容器本体、  
６：嵌合部、        ７、７Ａ、７Ｂ、７Ｃ：蓋、
８：平坦面、      
９、９Ａ、９Ｂ：荷くずれ防止リング、
１０：接着テープ、      １１：プリント、
１２：切り欠き部、      １３：突条リング、
１４：平坦面、      １５：蓋嵌合凹部、
１６、１６Ａ：フランジ、    １７：嵌合片。
【図１】
0005173301.tif 000002
【図２】
0005173301.tif 000003
【図３】
0005173301.tif 000004
【図４】
0005173301.tif 000005
【図５】
0005173301.tif 000006
【図６】
0005173301.tif 000007
【図７】
0005173301.tif 000008
【図８】
0005173301.tif 000009
【図９】
0005173301.tif 000010
【図１０】
0005173301.tif 000011
【図１１】
0005173301.tif 000012
【図１２】
0005173301.tif 000013
【図１３】
0005173301.tif 000014
【図１４】
0005173301.tif 000015
【図１５】
0005173301.tif 000016
【図１６】
0005173301.tif 000017
【図１７】
0005173301.tif 000018
【図１８】
0005173301.tif 000019
【図１９】
0005173301.tif 000020
【図２０】
0005173301.tif 000021
【図２１】
0005173301.tif 000022